(57)【要約】【課題】構造の複雑化を招来せず、しかも、泡の発生状況の違いに対応して効果的に泡の侵入の阻止ができるようにする。【解決手段】洗濯時での洗濯槽内の泡の発生状況を推定する泡発生推定機能を有し、その泡の発生状況の推定結果に基づき、風を通風路を通し洗濯槽内に供給する給風装置における送風機の送風羽根の回転速度を、泡の発生が多いと推定されたときほど高くするようにした。これにより、泡の発生状況に応じて、通風路内への泡の侵入を効果的に阻止することができる。又、その泡の侵入の阻止を泡止め構造で行うものではないので、構造の複雑化を招来せず、コスト高となることを回避することができる。【選択図】図１
2012050778.tif 000002
【特許請求の範囲】
【請求項１】
洗濯物を洗濯水と共に収容して洗濯し、脱水する洗濯槽と、
送風羽根を回転させて送風する送風機を有し、その風を前記洗濯槽につながる通風路を通し該洗濯槽内に供給する給風装置と、
この給風装置が供給する風を熱して温風化する温風ヒータとを具備すると共に、
前記洗濯時での前記洗濯槽内の泡の発生状況を推定する泡発生推定機能を有し、
その泡の発生状況の推定結果に基づき、前記給風装置における送風機の送風羽根の回転速度を、泡の発生が多いと推定されたときほど高くすることを特徴とする洗濯乾燥機。
【請求項２】
給風装置における送風機の送風羽根の回転速度を高くするときには、送風羽根の回転時間を、送風羽根の回転速度を低くするときより短くすることを特徴とする請求項１記載の洗濯乾燥機。
【請求項３】
洗濯槽内の水位を検知する水位検知機能を有し、その水位の検知を、送風機の送風羽根を回転させるときを除いて実行することを特徴とする請求項１又は２記載の洗濯乾燥機。
【請求項４】
洗濯物を洗濯水と共に収容して洗濯し、脱水する洗濯槽と、
送風羽根を回転させて送風する送風機を有し、その風を前記洗濯槽につながる通風路を通し該洗濯槽内に供給する給風装置と、
この給風装置が供給する風を熱して温風化する温風ヒータとを具備すると共に、
洗濯水の水温又は気温を検知する温度検知機能を有し、
前記洗濯時に前記給風装置による前記洗濯槽内への給風を行なうようにしたものであって、
前記温度検知結果に基づき、前記洗濯時の前記給風装置における送風機の送風羽根の回転開始時期を、温度が高く検知されたときほど早くすることを特徴とする洗濯乾燥機。
【発明の詳細な説明】
【技術分野】
【０００１】
本発明の実施形態は、洗濯乾燥機に関する。
【背景技術】
【０００２】
従来より、洗濯乾燥機においては、洗濯物を洗濯水と共に収容して洗濯し、脱水する洗濯槽を具備すると共に、送風羽根を回転させて送風する送風機による風を、洗濯槽につながる通風路を通し該洗濯槽内に供給する給風装置を具備し、更に、この給風装置が供給する風を熱して温風化する温風ヒータを具備している。
【０００３】
このものにおいて、洗濯時に、洗濯槽内に洗剤が多量に入れられた場合や、発泡性の高い洗剤が入れられた場合には、洗濯中、大量の泡が発生する。特に、洗濯水を加熱して温水を生成する温水ヒータを具備し、その温水で洗濯物を洗濯する温水洗浄機能を有するものでは、温水の熱で洗剤の主成分である界面活性剤の活性度が上がるために、常温の洗濯水で洗濯する場合よりも泡の発生が更に多くなる。
そして、その大量に発生した泡は、洗濯槽内から前記給風装置の通風路に侵入することがあり、侵入すれば、その通風路中にある上記送風機や温風ヒータに付着して、それらに害を及ぼすおそれがある。
【０００４】
そこで、従来では、上記給風装置の通風路に泡の侵入を阻止する泡止め構造を設ける考えがあり（例えば特許文献１，２参照）、そのほか、上記給風装置の送風機を作動させて通風路から洗濯槽内に風を送り入れることで泡の侵入を阻止し、あるいは泡を消去するようにしたものがある（例えば特許文献３，４参照）。
【先行技術文献】
【特許文献】
【０００５】
【特許文献１】特開２００８−２６４２３３号公報
【特許文献２】特開２００９−１７９０６号公報
【特許文献３】特開２００９−８２３１６号公報
【特許文献４】特開平６−１５４４６３号公報
【発明の概要】
【発明が解決しようとする課題】
【０００６】
上記従来の考えのうち、給風装置の通風路に泡止め構造を設ける考えでは、構造の複雑化を招来し、コスト高となってしまう。
一方、給風装置の送風機を作動させて通風路から洗濯槽内に風を送り入れる考えでは、その風の送り入れが一義的であり、泡の発生状況の違いに対応して効果的に泡の侵入の阻止ができるものではなかった。
【０００７】
そこで、構造の複雑化を招来せず、しかも、泡の発生状況の違いに対応して効果的に泡の侵入の阻止ができる洗濯乾燥機を提供する。
【課題を解決するための手段】
【０００８】
本実施形態の洗濯乾燥機においては、第１に、洗濯物を洗濯水と共に収容して洗濯し、脱水する洗濯槽と、送風羽根を回転させて送風する送風機を有し、その風を前記洗濯槽につながる通風路を通し該洗濯槽内に供給する給風装置と、この給風装置が供給する風を熱して温風化する温風ヒータとを具備すると共に、前記洗濯時での前記洗濯槽内の泡の発生状況を推定する泡発生推定機能を有し、その泡の発生状況の推定結果に基づき、前記給風装置における送風機の送風羽根の回転速度を、泡の発生が多いと推定されたときほど高くすることを特徴とする。
【０００９】
本実施形態の洗濯乾燥機においては、第２に、洗濯物を洗濯水と共に収容して洗濯し、脱水する洗濯槽と、送風羽根を回転させて送風する送風機を有し、その風を前記洗濯槽につながる通風路を通し該洗濯槽内に供給する給風装置と、この給風装置が供給する風を熱して温風化する温風ヒータとを具備すると共に、洗濯水の水温又は気温を検知する温度検知機能を有し、前記洗濯時に前記給風装置による前記洗濯槽内への給風を行なうようにしたものであって、前記温度検知結果に基づき、前記洗濯時の前記給風装置における送風機の送風羽根の回転開始時期を、温度が高く検知されたときほど早くすることを特徴とする。
【図面の簡単な説明】
【００１０】
【図１】第１の実施形態における送風機の送風羽根の回転モードを、泡の発生状況の違い別に〔ａ〕及び〔ｂ〕で示す図
【図２】送風機の送風羽根の回転速度及び回転時間を、泡の発生状況の違い別に表で示す図
【図３】洗濯乾燥機の開扉状態での外観斜視図
【図４】洗濯乾燥機の内部構造の斜視図
【図５】電気的構成のブロック図
【図６】動作内容を部分的に示すフローチャート
【図７】給水弁の開閉モードと内槽の回転モードを〔ｂ〕に示し、水位センサの検知データの変化の様子を〔ａ〕に示す図
【図８】第２の実施形態における送風機の送風羽根の回転速度と回転時間及び送風間隔を、泡の発生状況の違い別に表で示す図
【図９】第３の実施形態を示す図６相当図
【図１０】洗濯水の水温の検知結果と送風の開始時間との関係を示す図
【発明を実施するための形態】
【００１１】
以下、第１の実施形態につき、図１ないし図７を参照して説明する。
まず、図３にはドラム式洗濯乾燥機の外観を示しており、機全体の外殻を外箱１で構成している。この外箱１はほゞ直方体状を成しており、底部に台板２を有している。外箱１の前面部はやゝ上向きの傾斜状を成しており、そのほゞ中央部に円形の洗濯物出入口３を形成している。この洗濯物出入口３を開閉する扉４は、外箱１の前面部にヒンジ５を介して横方向に回動可能に取付けており、そのほか、外箱１の前面部には、上部に操作パネル６を設け、その左側方部に引出し式の洗剤投入ケース７を設けている。
【００１２】
外箱１の内部には、洗濯槽８を配置している。この洗濯槽８は、図４に示す外槽８ａと、これに収容したドラムである内槽８ｂ（図３参照）とから成る二重構造であり、その両槽８ａ，８ｂは、ともに軸方向が前後の横軸状で後面を閉塞したほゞ円筒状を成し、それを、前上がりに傾斜する状態で、前記台板２上に左右一対の弾性支持機構９により支持している。
【００１３】
外槽８ａの前面の開口部は、図示しないが、べローズを介して前記洗濯物出入口３に連通しており、外槽８ａの上部の前部（図４で奥側）には吹出し口１０を形成し、外槽８ａの背部（図４で前側）の上部に吹込み口１１を形成している。
内槽８ｂの周壁部には、図３に示すように、通水及び通風が可能な孔１２をほゞ全域に多数形成しており、内槽８ｂの内周部には、洗濯物掻き上げ用のバッフル１３を複数（１個のみ図示）設けている。
【００１４】
又、内槽８ｂの前面の開口部は前記洗濯物出入口３に臨んでおり、内槽８ｂは洗濯物出入口３から投入される洗濯物（図示せず）を収容する。更に、内槽８ｂは、外槽８ａの背部に図４に示すように取付けたモータ１４により回転駆動するようにしており、従って、モータ１４は内槽８ｂを回転させる駆動装置として機能するようになっている。内槽８ｂは、洗いの際には洗濯槽として機能し、脱水の際には脱水槽として機能し、そして、乾燥の際には乾燥槽として機能するものである。
【００１５】
外槽８ａの外周部には通風路１５を設けている。この通風路１５は、外槽８ａの上部に上部風路１６を有しており、この上部風路１６の一端部（前端部）を、蛇腹状の可撓部１７ａを有する風路継手１７を介して、前記吹出し口１０に接続している。上部風路１６の前端部近くにはフィルタ収容部１８を有しており、このフィルタ収容部１８には、図３にカバー１９ａのみを示したリントフィルタユニット１９を外箱１の上方から出し入れ可能に収容するようになっている。
【００１６】
上記上部風路１６の他端部（後端部）には、外槽８ａの背部に位置して除湿ダクト２０の一端部を接続している。除湿ダクト２０はほゞＵ字状を成すもので、他端部側に注水部２１を有し、この注水部２１から注入する水によって、除湿ダクト２０内を注水方向とは逆の向きに通る空気の除湿を行なうようになっている。外槽８ａの上部には又、送風機２２を配設しており、この送風機２２のケーシング２２ａの吸入口に上記除湿ダクト２０の他端部を接続している。送風機２２は、ケーシング２２ａの内部に配設した送風羽根（図示せず）をモータ２２ｂにより回転駆動するものであり、ケーシング２２ａの吐出口に加熱器２３のケース２３ａの入口部を接続している。
【００１７】
加熱器２３は、ケース２３ａの内部に温風ヒータとしての例えば電極がむき出しのＰＴＣヒータから成る電気ヒータ（図４には図示せず）を配設したものであり、ケース２３ａの出口部を、蛇腹状の可撓部２４ａを有する風路継手２４を介して、後部風路２５の上部に接続し、この後部風路２５を外槽８ａの前記吹込み口１１に臨ませて連通させている。
【００１８】
以上の、風路継手１７と、上部風路１６と、除湿ダクト２０、送風機２２（ケーシング２２ａ）、加熱器２３（ケース２３ａ）、風路継手２４、及び後部風路２５により、前記通風路１５を構成している。
そして、通風路１５中、後部風路２５の背面部には泡センサ２６を取着している。この泡センサ２６は泡を検知する泡検知手段であり、例えば泡の圧力で泡を検知する圧力センサから成っている。
【００１９】
又、前記外槽８ａの最下部にはエアチューブ２７を接続しており、このエアチューブ２７の先端部に水位センサ２８を設けている。この水位センサ２８は外槽８ａ内の水位を検知する水位検知手段であり、例えば水の圧力（水頭圧）でエアチューブ２７を介し水位を検知する圧力センサから成っている。従って、本構成の洗濯乾燥機は、洗濯槽８内の水位を検知する水位検知機能を有している。同時に、この水位センサ２８は外槽８ａ内の泡の発生を検知する泡発生検知手段であり、例えば上記水の圧力（水頭圧）に加えてその水面上に発生した泡の圧力で同じくエアチューブ２７を介し泡の発生を検知するようになっている。
【００２０】
図５には、制御装置２９を中心とした電気的構成をブロック図で示している。制御装置２９は、例えばマイクロコンピュータから成るもので、ドラム式洗濯乾燥機の運転全般を制御する制御手段として機能するようになっており、この制御装置２９には、図示しない操作パネルが有する各種の操作スイッチから成る操作入力部３０より各種操作信号が入力されるようになっている。
【００２１】
制御装置２９には、そのほか、前記水位センサ２８から水位検知信号（泡発生検知信号）が入力されると共に、前記泡センサ２６から泡検知信号が入力され、モータ１４の回転を検知するように設けた回転センサ３１からは回転検知信号が、前記送風機２２のモータ２２ｂの回転を検知するように設けた回転センサ３２からも回転検知信号が、更に、洗濯水の水温を検知するように設けた温度センサ３３から温度検知信号が、それぞれ入力されるようになっている。
【００２２】
なお、制御装置２９は、回転センサ３１，３２からの各回転検知信号に基づき、モータ１４、２２ｂの各回転数、ひいては内槽８ｂの回転数と送風羽根の回転数とをそれぞれ検知所要時間で除する演算をするようになっており、それによって内槽８ｂの回転速度と送風羽根の回転速度とを検知する回転速度検知手段としても機能するようになっている。
【００２３】
そして、制御装置２９は、それらの入力並びにあらかじめ記憶された制御プログラムに基づいて、前記外槽８ａ内と除湿ダクト２０の注水部２１とに選択給水するように設けた給水弁３４と、前記モータ１４、前記外槽８ａ内から排水するように設けた排水弁３５、前記送風機２２のモータ２２ｂ、前記加熱器２３の電気ヒータ（温風ヒータ）２３ｂ、及び前記外槽８ａ内の洗濯水を加熱して温水を生成する温水ヒータ３６、を駆動する駆動回路３７に駆動制御信号を与えるようになっている。
【００２４】
次に、上記構成の洗濯乾燥機の作用を述べる。
図６は、上記構成の洗濯乾燥機の標準的な運転コースを表している。操作入力部３０により、この標準的な運転コースが選択されて開始（スタート）されると、最初に、内槽８ｂ内に収容された洗濯物の量の判定が行われる（ステップＳ１）、続いて、給水弁３４を外槽８ａ側に開放させての外槽８ａ内への洗濯水の供給が開始される（ステップＳ２）。又、このときには、洗剤投入ケース7に収容された洗剤の供給が給水と併せて行われる。
【００２５】
上記給水は、前記洗濯物量の判定結果に応じた水位が水位センサ２８により検知されるまで行われ（ステップＳ３）、続いて、モータ１４が作動され、内槽８ｂを低速で正逆両方向に交互に回転させることで、内槽８ｂ内に収容された洗濯物を撹拌することが行われる（ステップＳ４）。すると、それにより洗濯物に洗濯水が浸み込み、その分、外槽８ａ内の水位が低下するので、その低下分を補う所定量（所定時間）の補給水が上記給水と同様にして行われる（ステップＳ５）。
【００２６】
この後、給水弁３４を閉塞させて給水が完了され（ステップＳ６）、続いて、内槽８ｂを低速で正逆両方向に交互に回転させることで、内槽８ｂ内に収容された洗濯物を撹拌して洗浄する洗いが開始される（ステップＳ７）。この洗い中には、温水ヒータ３６に通電して外槽８ａ内の洗濯水を温水化し、併せて、水位センサ２８による水位の検知が行われる。
【００２７】
このとき、内槽８ｂ内に洗剤が多量に入れられた場合や、発泡性の高い洗剤が入れられている場合には、大量の泡が発生する。特に、温水ヒータ３６で洗濯水を温水化している場合には、温水の熱で洗剤の主成分である界面活性剤の活性度が上がるために、常温の洗濯水で洗濯する場合よりも泡の発生が更に多くなる。しかして、このように大量の泡が発生すると、水の圧力（水頭圧）に加えてその水面上に発生した泡の圧力で、水位センサ２８が泡の発生を検知する。
【００２８】
図７は、前記給水の開始から上述のように泡が発生したときまでの、給水弁３４の開閉モードとモータ１４（内槽８ｂ）の回転モードを〔ｂ〕に示し、それらに応じた水位センサ２８の検知データの変化の様子を〔ａ〕に示している。これらの図から明らかなように、給水を開始してから内槽８ｂを回転させるまでは水位センサ２８の検知データは上昇し、次いで、内槽８ｂを回転させたときには、洗濯物に洗濯水が浸み込む分で検知データが降下し、その後の補給水で検知データが上昇して戻り、そして、更にその後の洗浄動作による泡の発生により検知データが上昇する。
【００２９】
制御装置２９は、このような水位センサ２８の検知データの変化から泡の発生状況を推定するもので、すなわち、上記構成の洗濯乾燥機は泡発生推定機能を有しており、給水の開始から水位センサ２８の検知データがＷ0に達した時間Ｔ0を基準に、更に時間Ｔ1に至った時点での水位センサ２８の検知データがＷ1のレベルであれば、その変化量はＷ1−Ｗ0である。一方、給水の開始から水位センサ２８の検知データがＷ0に達した時間Ｔ0を基準に、更に時間Ｔ1に至った時点での水位センサ２８の検知データがＷ1´のレベルであれば、その変化量はＷ1´−Ｗ0であり、前者の変化量（Ｗ1−Ｗ0）は所定のしきい値未満であり、後者の変化量（Ｗ1´−Ｗ0）は所定のしきい値以上である。これらにより、前者の変化量（Ｗ1−Ｗ0）の場合は泡の発生状況は少なめと推定し、後者の変化量（Ｗ1´−Ｗ0）の場合は泡の発生状況は多めと推定する。
【００３０】
なお、この場合、泡の発生状況の推定は、上述のような、給水の開始から時間Ｔ0に到達した時点での水位センサ２８の検知データに対する、時間Ｔ1に到達した時点での同検知データの変化量（絶対値）によらず、変化の割合（変化率）を見て行うようにしても良いし、時間Ｔ1のところでの検知データのみを見て行うようにしても良い。又、泡の検知は、泡センサ２６と併せて、又は泡センサ２６単独で行うようにしても良い。
【００３１】
そして、そのような泡の発生が検知されると、送風機２２が作動されて送風羽根による送風が開始される（ステップＳ８）。これにより、外槽８ａ内から内槽８ｂ内には、風が通風路１５中の送風機２２のケーシング２２ａから加熱器２３のケース２３ａ、風路継手２４、及び後部風路２５を順に通じて供給され、又、その供給された風は、内槽８ｂ内から外槽８ａ内を通って風路継手１７から上部風路１６及び除湿ダクト２０を順に通じ送風機２２のケーシング２２ａに戻され、これが繰り返されることによって内槽８ｂ内及び外槽８ａ内（洗濯槽８内）の空気が循環される。
【００３２】
従って、通風路１５と送風機２２は、風を洗濯槽８内に供給する給風装置として機能するものであり、洗濯槽８内の空気を循環させる空気循環装置として機能するものでもある。
【００３３】
ここで、上記洗濯槽８内への送風（送風羽根の回転）は、図１に示すように、間欠的に行われるもので、その間欠の各送風作動時、上記泡の発生状況の推定結果が多めであったときには、図１の〔ａ〕に示すように、前記給風装置における送風機２２の送風羽根の回転速度を高めの例えば３５００〔ｒｐｍ〕とし、少なめであったときには、同図の〔ｂ〕に示すように、低めの例えば２５００〔ｒｐｍ〕とする。すなわち、前記泡の発生状況の推定結果に基づき、給風装置における送風機２２の送風羽根の回転速度を、泡の発生が多いと推定されたときほど高くする。
【００３４】
又、その給風装置における送風機２２の送風羽根の回転速度を高くするときには、送風羽根の回転時間を短めの例えば２．５〔秒〕間とし、送風羽根の回転速度を低くするときには長めの例えば４〔秒〕間とする。すなわち、給風装置における送風機の送風羽根の回転速度を高くするときには、送風羽根の回転時間を、送風羽根の回転速度を低くするときより短くする。
図２は、如上の制御内容を表で示している。
【００３５】
なお、上述の洗濯槽８内への送風を行なうときには、泡の消去に例えば４０〔℃〕以上の温風が有効であり、且つ通風路１５内の結露を防止するのにも温風が有効であるため、温風ヒータ２３ｂを発熱させることにより、洗濯槽８内に供給する風を熱してその４０〔℃〕以上の温風化をすることが併せて行われる。
【００３６】
この後、洗いの終了と共に洗濯槽８内への送風が終了される（ステップＳ９）。なお、洗い中、水位センサ２８による泡の検知結果から泡の発生が少なくなったと推定されれば、洗濯槽８内への送風を停止し、節電すると共に、温水で洗いを行なう折りの温水の温度の低下を防止するようにするが、その後も泡が発生する可能性があるため、水位センサ２８による泡の検知は、洗いの終了まで続け、その検知結果から泡の発生が多くなったと推定されれば、その度に洗濯槽８内への送風を上述同様に行なう。
【００３７】
その後、排水弁３５を開放させての洗濯槽８内からの排水が行われ（ステップＳ１０）、更にその後、洗濯槽８内への洗濯水の供給が行われ（ステップＳ１１）、そして、内槽８ｂを低速で正逆両方向に交互に回転させることで、内槽８ｂ内の洗濯物を撹拌してすすぐすすぎが行われて（ステップＳ１２）、以降の動作へと進む（省略）。
【００３８】
なお、以降の動作中の脱水行程では、内槽８ｂを一方向に高速回転させることによる遠心力で洗濯物の脱水をする。又、乾燥行程では、内槽８ｂの低速回転と、洗濯槽８内への送風（空気循環）、並びに除湿ダクト２０に注水部２１から注水しての循環空気の除湿が行われ、内槽８ｂ内の洗濯物の乾燥が行われる。
【００３９】
このように上記構成の洗濯乾燥機では、洗濯時での洗濯槽８内の泡の発生状況を推定する泡発生推定機能を有し、その泡の発生状況の推定結果に基づき、風を通風路１５を通し洗濯槽８内に供給する給風装置における送風機２２の送風羽根の回転速度を、泡の発生が多いと推定されたときほど高くするようにしている。
【００４０】
これにより、泡の発生が検知されたときには、洗濯槽８内に供給する風の圧力で、洗濯槽８内に発生した泡が通風路１５内に侵入することを阻止するのであるが、泡の発生状況の推定結果が多めであったときには、少なめであったときより、洗濯槽８内に供給する風の圧力を高くすることができるので、それにより、泡の発生状況に応じて、通風路１５内への泡の侵入を効果的に阻止することができる。又、その泡の侵入の阻止を泡止め構造で行うものではないので、構造の複雑化を招来せず、コスト高となることを回避することができる。
【００４１】
加えて、特に上記構成の洗濯乾燥機では、洗濯槽８内に供給した風を洗濯槽８内に戻すことを繰り返すことで通風路１５を通じ循環させるようにしており、泡の発生時にはその循環が行われることで通風路１５、中でも加熱器２３のケース２３ａ内の温度を、洗濯槽８内の温度と同等にできて、ケース２３ａ内の結露を防止し、その結露による送風機２２や温風ヒータ２３ｂへの害を避けることができる。
【００４２】
又、上記構成の洗濯乾燥機では、給風装置における送風機２２の送風羽根の回転速度を高くするときには、送風羽根の回転時間を、送風羽根の回転速度を低くするときより短くするようにしている。
これにより、送風機２２の送風羽根の回転速度を高くしたときには高い風圧が得られると共に、多い風量が得られるので、送風羽根の短い時間の回転により泡の侵入防止ができ、反対に送風機２２の送風羽根の回転速度を低くしたときには、送風羽根の長い時間の回転で泡の侵入防止ができて、いずれの場合も、送風機２２の送風羽根の回転速度に応じた時間での送風羽根の回転時間の制御ができ、効率的である。
【００４３】
特に、この場合、上記構成の洗濯乾燥機では、上述のように洗濯槽８内に供給した風を洗濯槽８内に戻すことを繰り返すことで通風路１５を通じ循環させるようにしており、送風機２２の送風羽根の回転速度を高くしたときには高い風圧が得られると共に、多い風量が得られることで、洗濯槽８内の泡の通風路１５内への侵入を阻止できるばかりか、反対の吸込み側（前方風路継手１７側）で通風路１５内への泡の押し込みのおそれがあるが、それを上述の送風機２２の送風羽根の回転速度を高くするときには、送風羽根の回転時間を、送風羽根の回転速度を低くするときより短くすることで、回避することができる。
【００４４】
なお、泡発生時に、洗濯槽８内に送風することによる、反対の吸込み側での通風路１５内への泡の押し込みのおそれを回避するには、送風量を、通風路１５中の送風機２２から洗濯槽８内に至る風路の体積と同等以下に設定することが有効であり、上記構成の洗濯乾燥機ではそのように設定している。
又、上記構成の洗濯乾燥機では、洗濯物の洗浄を温水で行うが、その折り、送風機２２の送風羽根の回転速度を高くするときには、送風羽根の回転時間を、送風羽根の回転速度を低くするときより短くすることで、風による温水の温度の過度の低下を避けることができて、温水洗浄の効果を保つことができる。
【００４５】
更に、上記構成の洗濯乾燥機では、洗濯槽８内に送風するとき、水位センサ２８による泡の検知を継続して行なうようにしており、その間、洗濯槽８内への送風による風圧による水位の変動で泡の検知が正確にできなくなるおそれがある。これに対し、送風機２２の送風羽根の回転速度を高くするときには、送風羽根の回転時間を、送風羽根の回転速度を低くするときより短くすることで、反対に送風されない時間を長く確保し得、その間に水位センサ２８による泡の検知ができるので、泡の検知が風圧による水位の変動に阻害されず正確にできる。
【００４６】
そして又、上記構成の洗濯乾燥機では、洗濯槽８内の水位を水位センサ２８により検知する水位検知機能を有し、その水位の検知を、送風機２２の送風羽根を回転させるときを除いて（ステップＳ２，Ｓ１１の各給水時）実行するようにしている。これにより、洗濯槽８内の水位の検知も、風圧による水位の変動に阻害されず正確にできる。
【００４７】
以上に対して、図８ないし図１０は第２及び第３の実施形態を示すもので、それぞれ、第１の実施形態と同一の部分には同一の符号を付して説明を省略し、異なる部分についてのみ述べる。
［第２の実施形態］
図８に示す第２の実施形態においては、泡の発生状況の推定を「最大」から「極小」までの多段階（この場合、５段階）で行い、その各段階に応じた送風羽根の回転速度、並びに送風羽根の回転時間の設定をしている。
【００４８】
このようにすることにより、泡の発生状況に対して、より細かに応じた制御ができる。
又、この場合、送風間隔も上記各段階に応じた設定をしている。この送風間隔の設定は、送風羽根の回転時間を短くするときほど短くする（送風羽根の回転時間を長くするときほど長くする）ものであり、これによって、送風時間と送風停止時間との繰り返しによって使用者が感じる音を全体に同じに近づけることができる。
【００４９】
［第３の実施形態］
図９及び図１０に示す第３の実施形態においては、まず図９に示すように、ステップＳ２の給水開始の後（ステップＳ３の給水終了の前）に、温度センサ３３による洗濯水の水温を検知が行われる（ステップＳ１０１）。従って、第３の実施形態は洗濯水の水温を検知する温度検知機能を有している。
そして、ステップＳ８に代わる送風の開始時（ステップＳ１０２）には、上記ステップＳ１０１での洗濯水の水温の検知結果に基づいた時間での送風の開始をする。
【００５０】
図１０は洗濯水の水温の検知結果と送風の開始時間との関係を示しており、水温は３０〔℃〕、２０〔℃〕、５〔℃〕の３種類を例示している。洗剤の主成分である界面活性剤は温度が高いと泡立ちが多いため、通風路１５への侵入が危ぶまれる泡の発生状況に達するまでに時間はかからない。反対に、温度が低い場合は、洗剤の泡立ちが少ないため、通風路１５への侵入が危ぶまれる泡の発生状況に達するまでに時間がかかる。
【００５１】
図１０には、通風路１５への侵入が危ぶまれる（洗濯槽８への送風が必要になる）泡の発生状況をレベルＡで示しており、このレベルＡに達するのに、水温３０〔℃〕では約２〔分〕、２０〔℃〕では約３〔分〕、５〔℃〕では約７〔分〕を要するものであり、温度が高いほど早く洗濯槽８への送風が必要になる。これらの例に基づき、洗濯水の水温の検知結果に対する送風の開始時間の設定をあらかじめプログラムしており、上記ステップＳ１０２ではそのプログラムによる水温の検知結果に応じた設定時間から送風の開始をする。すなわち、上記一例によれば、洗いの開始から、水温３０〔℃〕では約２〔分〕、２０〔℃〕では約３〔分〕、５〔℃〕では約７〔分〕の時間に達したところで送風を開始するのである。
【００５２】
要するに、この第３の実施形態においては、洗濯水の温度検知結果に基づき、洗濯時の給風装置における送風機２２の送風羽根の回転開始時期を、温度が高く検知されたときほど早くするようにしているのである。
このようにすることにより、水温の違いによる泡の発生状況に応じた送風の開始ができ、通風路１５内への泡の侵入を効率的に阻止することができる。
なお、この場合、洗濯水の水温は気温に比例するので、洗濯水の水温を検知するのに代えて、気温を検知するようにしても良い。
【００５３】
以上説明した洗濯乾燥機は、上記実施形態にのみ限定されるものではなく、特に洗濯乾燥機全体としては洗濯槽を横軸状に有するドラム式に限られず、洗濯槽を縦軸状に有するものであっても良いなど、要旨を逸脱しない範囲内で適宜変更して実施し得る。
【００５４】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５５】
図面中、８は洗濯槽、１５は通風路（給風装置）、２２は送風機（給風装置）、２３ｂは電気ヒータ（温風ヒータ）、２８は水位センサ（水位検知手段、泡発生検知手段）、２９は制御装置を示す。
【図１】
2012050778.tif 000003
【図２】
2012050778.tif 000004
【図３】
2012050778.tif 000005
【図４】
2012050778.tif 000006
【図５】
2012050778.tif 000007
【図６】
2012050778.tif 000008
【図７】
2012050778.tif 000009
【図８】
2012050778.tif 000010
【図９】
2012050778.tif 000011
【図１０】
2012050778.tif 000012